(57)【要約】【課題】  複数の測距点の中から所望の測距点を簡単に素早く選択できるようにする。【解決手段】  複数の測距点２０１〜２４５の中から所望の測距点を選択するようにしたカメラにおいて、レリーズボタンの半押し操作によりＳＷ１(１０８)がＯＮされると、測距点選択モードに応じた測距点のデフォーカス量に基づいてレンズ合焦動作が行われる。その状態において、レリーズボタンの半押し操作を行い、所定時間（ＯＦＦタイマ）未満でＳＷ１(１０８)のＯＮ／ＯＦＦを繰り返すと、測距点が選択されている測距点から隣り合う測距点に変更されていく。【選択図】  図６
2006227093.tif 000002
【特許請求の範囲】
【請求項１】
複数の測距点の中から所望の測距点を選択するようにした撮像装置であって、
所定のスイッチ手段のオン操作とオフ操作の繰り返しに応じて、選択対象とする測距点を変更する測距点変更手段を備えたことを特徴とする撮像装置。
【請求項２】
複数の測距点でのデフォーカス量を検出可能なデフォーカス量検出手段と、前記デフォーカス量検出手段のデフォーカス量検出結果に基づいて合焦動作を行う撮影レンズとを備え、前記所定のスイッチ手段は前記デフォーカス量検出手段の動作制御用のスイッチ手段であって、前記スイッチ手段のオン操作により、前記複数の測距点の中の所定の測距点におけるデフォーカス量検出結果に基づいて前記撮影レンズを合焦させた後、前記スイッチ手段を一旦オフ操作して再度オン操作すると、前記所定の測距点以外の測距点で再度デフォーカス量検出を行い、再度前記撮影レンズを合焦させるようにし、前記スイッチ手段のオン操作とオフ操作の繰り返しに応じて、それまで合焦に使用した測距点以外の測距点で合焦させることにより、前記複数の測距点の中から所望する測距点を選択可能にしたことを特徴とする請求項１に記載の撮像装置。
【請求項３】
前記スイッチ手段は、半押し操作によるオンと全押し操作によるオンの２段スイッチからなるレリーズボタンであり、前記測距点変更手段は、前記レリーズボタンの半押し操作によるオンとオフの繰り返しに応じて、選択対象とする測距点を変更することを特徴とする請求項１又は２に記載の撮像装置。
【請求項４】
前記測距点変更手段は、前記選択対象とする測距点を、前回選択対象とした測距点に隣り合う測距点に変更することを特徴とする請求項１〜３のいずれか１項に記載の撮像装置。
【請求項５】
前記測距点変更手段は、前記選択対象とする測距点を、前回選択対象とした測距点におけるデフォーカス量との差が最小となるデフォーカス量が得られる測距点に変更することを特徴とする請求項１〜３のいずれか１項に記載の撮像装置。
【請求項６】
前記測距点変更手段は、前記選択対象とする測距点を、前回選択対象とした測距点におけるデフォーカス量との差が最大となるデフォーカス量が得られる測距点に変更することを特徴とする請求項１〜３のいずれか１項に記載の撮像装置。
【請求項７】
前記複数の測距点の中から被写体に応じて自動で測距点を選択する自動選択モードと、撮影者が予め任意の測距点を選択する任意選択モードとを有し、前記スイッチ手段のオン操作で最初に選択対象とされる測距点は、自動選択モード時は自動で選択され、任意選択モード時は予め選択されている測距点とすることを特徴とする請求項１〜６のいずれか１項に記載の撮像装置。
【請求項８】
前記スイッチ手段のオン操作とオフ操作の繰り返しに応じて、選択対象とする測距点を変更する際に、前記スイッチ手段のオフ状態が所定時間経過した場合は、次に前記スイッチ手段をオン操作すると前記最初に選択した測距点が選択対象となることを特徴とする請求項７に記載の撮像装置。
【請求項９】
前記スイッチ手段のオン操作とオフ操作の繰り返しに応じて、選択対象とする測距点を変更する際に、前記スイッチ手段以外の別のスイッチ手段が操作された場合は、次に前記スイッチ手段をオン操作すると前記最初に選択した測距点が選択対象となることを特徴とする請求項７に記載の撮像装置。
【請求項１０】
前記スイッチ手段のオン操作とオフ操作の繰り返しに応じて、選択対象とする測距点を変更する機能を有効にする選択変更モードと、前記機能を無効にする選択変更禁止モードとを有することを特徴とする請求項１〜９のいずれか１項に記載の撮像装置。
【請求項１１】
複数の測距点の中から所望の測距点を選択するようにした撮像装置における測距点選択方法であって、
前記撮像装置が、所定のスイッチ手段のオン操作とオフ操作の繰り返しに応じて、選択対象とする測距点を変更する手順を行うことを特徴とする撮像装置における測距点選択方法。
【請求項１２】
複数の測距点の中から所望の測距点を選択するようにした撮像装置において測距点の選択処理を実行させるためのコンピュータプログラムであって、
所定のスイッチ手段のオン操作とオフ操作の繰り返しに応じて、選択対象とする測距点を変更する処理を前記撮像装置内のコンピュータに実行させることを特徴とするコンピュータプログラム。
【発明の詳細な説明】
【技術分野】
【０００１】
本発明は、複数の測距点の中から所望の測距点を選択するようにした撮像装置、撮像装置における測距点選択方法、及びコンピュータプログラムに関する。
【背景技術】
【０００２】
従来、カメラの自動焦点検出装置としては、撮影レンズの異なる射出瞳領域を通過した被写体からの光束を一対のラインセンサ上に結像させ、被写体像を光電変換して得られた一対の像信号の相対位置変位量を求めることにより、被写体のデフォーカス量を検出し、これに基づいて撮影レンズの合焦動作を行う方式のものが知られている。
【０００３】
この種の自動焦点検出装置において、焦点検出系を複数用意することにより、複数の測距点（被写体領域）それぞれのデフォーカス量を検出する方式のものも多数提案されている。
【０００４】
ところが、複数の測距点を有する場合、撮影者がピントを合せたい測距点を何らかの方法で選択しなければならない。この選択方法として、カメラが各測距点のデフォーカス量の状態から自動的に測距点を選択する方法や、撮影者が予め任意の測距点を選択しておく方法等が提案されている。
【０００５】
また、自動選択された測距点や任意選択した測距点での合焦結果が撮影者の意図に反することがあるため、測距点の自動選択後に撮影者がレリーズボタンを操作することにより、１回だけ測距点を変更する方法（特許文献１参照）や、レリーズボタンの周りに複数の選択スイッチを配置し、選択スイッチを操作すると、その時選択されている測距点から選択スイッチに対応する方向に隣り合う測距点へ変更する方法（特許文献２参照）等が提案されている。
【０００６】
【特許文献１】特開平５−２９７２６５号公報（第６頁、図７）
【特許文献２】特開２００１−１７４８９２号公報（第４頁、図５）
【発明の開示】
【発明が解決しようとする課題】
【０００７】
しかしながら、特許文献１に開示された測距点選択方法では、複数の測距点を３点と想定しているため、測距点の自動選択結果に対して１回測距点を変更すれば撮影者の所望の測距点が選択できるとして、測距点の変更が１回しかできない。近年のカメラでは測距点が増えており、例えば４５点あるカメラでは測距点の変更が１回だけでは撮影者の所望の測距点が選択できないといった問題や、一旦自動選択してからでないと測距点の選択が行えないようになっているため、予め撮影者が任意選択した測距点での合焦後に測距点選択ができないといった問題がある。
【０００８】
また、特許文献２に開示された測距点選択方法では、選択する測距点の方向に対応した複数の選択スイッチをレリーズボタンの周りに配置しなけられならず、操作部材や複数のスイッチ等のコストアップを生じたり、レリーズボタン周りが大型化したりするといった問題がある。
【０００９】
本発明は上記のような点に鑑みてなされたものであり、複数の測距点の中から所望の測距点を簡単に素早く選択できるようにすることを目的とする。
【課題を解決するための手段】
【００１０】
本発明の撮像装置は、複数の測距点の中から所望の測距点を選択するようにした撮像装置であって、所定のスイッチ手段のオン操作とオフ操作の繰り返しに応じて、選択対象とする測距点を変更する測距点変更手段を備えた点に特徴を有する。
本発明の撮像装置における測距点選択方法は、複数の測距点の中から所望の測距点を選択するようにした撮像装置における測距点選択方法であって、前記撮像装置が、所定のスイッチ手段のオン操作とオフ操作の繰り返しに応じて、選択対象とする測距点を変更する手順を行う点に特徴を有する。
本発明のコンピュータプログラムは、複数の測距点の中から所望の測距点を選択するようにした撮像装置において測距点の選択処理を実行させるためのコンピュータプログラムであって、所定のスイッチ手段のオン操作とオフ操作の繰り返しに応じて、選択対象とする測距点を変更する処理を前記撮像装置内のコンピュータに実行させる点に特徴を有する。
【発明の効果】
【００１１】
本発明によれば、スイッチ手段のオン操作とオフ操作の繰り返しに応じて、複数の測距点の中から選択対象とされる測距点を変更するようにしたので、所望の測距点を簡単に素早く選択することができる。この場合に、レリーズボタンの半押し操作のオンとオフを繰り返すことにより測距点を選択可能にすれば、測距点選択のための専用の操作部材が不要であり、コストアップや大型化を避けることができる。
【発明を実施するための最良の形態】
【００１２】
以下、添付図面を参照して、本発明の好適な実施形態について説明する。
（第１の実施形態）
図１は、本実施形態の一眼レフカメラの概略構成を示す図である。１はカメラ本体である。２は撮影レンズ３をカメラ本体１に着脱可能とするためのマウントであり、各種信号を通信したり、駆動電源を供給したりするためのインターフェース部であるマウント接点２ａを有する。３は交換可能な撮影レンズであり、内部にフォーカスレンズ群３ａ、ズームレンズ群３ｂを有する。各レンズ群３ａ、３ｂは便宜上１枚のレンズで図示したが、実際には多数のレンズにより複雑なレンズ群の組み合わせで構成されている。
【００１３】
４はハーフミラーで構成された主ミラーであり、カメラの動作状態に応じて回動可能となっており、ファインダーでの被写体の観察時は撮影光路へ斜設され、撮影レンズ２からの光束を折り曲げて後述するファインダー光学系へ導き、露光時は撮影光路から退避して、撮影レンズ３からの光束を銀塩フィルム７へ導く。５は主ミラー４とともに回動するサブミラーであり、主ミラー４が撮影光路へ斜設されている時に、主ミラー４を透過した光束を折り曲げて焦点検出装置８へ導く。
【００１４】
６はシャッターである。７は感光部材の銀塩フィルムであり、本実施形態では銀塩フィルムとしているが、ＣＣＤやＣＭＯＳ等の撮像素子やビディコン等の撮像管で構成しても構わない。
【００１５】
８は焦点検出装置であり、結像面近傍に配置されたフィールドレンズ８ａ、反射ミラー８ｂ、８ｃ、２次結像レンズ８ｅ、絞り８ｄ、複数のＣＣＤからなるエリアセンサ８ｆ等により構成される。焦点検出装置８は、後述する図３のファインダー視野枠内の複数の焦点検出領域（以下「測距点」と称する）２０１〜２４５の位置に対応する被写体の４５箇所の領域について、周知の位相差方式で焦点検出可能に構成されている。
【００１６】
９は撮影レンズ３の一次結像面に配置されたピント板であり、入射面９ａにはフレネルレンズ（集光レンズ）が設けられ、射出面９ｂには被写体像（ファインダー像）が結像する。１０はファインダー視野領域を形成するファインダー視野枠である。１１はファインダー光路変更用のペンタプリズムであり、ピント板９の射出面９ｂに結像した被写体像を正立正像に補正する。１２はダイクロイックミラーであり、ペンタプリズム１１の射出面後方に配置された可視光を透過し赤外光を反射する。１３は接眼レンズであり、ペンタプリズム１１を通過した被写体像の光束は、ダイクロイックミラー１２、接眼レンズ１３を通過してファインダーを観察する撮影者の瞳１４に導かれる。なお、ピント板９、ペンタプリズム１１、接眼レンズ１３により構成されている光学系をファインダー光学系と称する。
【００１７】
１５は結像レンズであり、ペンタプリズム１１内の反射光路を介してピント板９と測光センサ１６を共役な結像関係に位置付ける。１６は測光センサであり、結像レンズ１５により結像した被写体像（ピント板９の射出面９ｂに結像した被写体像と同一の像）の輝度を測定する。１７は結像レンズ１５及び測光センサ１６を保持するホルダである。
【００１８】
１８はスーパーインポーズ（ＳＩ）用ＬＥＤであり、明るい被写体の中でも視認できる赤外光を発する高輝度ＬＥＤからなる。１９は集光レンズであり、ＳＩ用ＬＥＤ１８と撮影者の瞳１４を共役な結像関係にして、効率良く撮影者の瞳１４へ光束を入射するための所謂コンデンサレンズの働きをする。２０はスーパーインポーズ（ＳＩ）用ＬＣＤであり、４５箇所の測距点を複数のセグメントによりパターン化し、選択されたセグメント領域のみ光束を透過可能とする電解効果型のツイステッドネマティックモード（Twisted Nematic Mode）を利用したＴＮ液晶表示器からなる。２１は投光レンズである。
【００１９】
ＳＩ用ＬＥＤ１８から発せられた光束は、集光レンズ１９、ＳＩ用ＬＣＤ２０の透過セグメント、投光レンズ２１を通過し、ダイクロイックミラー１２に達する。ここで、ピント板９の射出面９ｂに結像した被写体像とＳＩ用ＬＣＤ２０の透過セグメントのパターン光束が合成され、接眼レンズ１３を通過して、撮影者の瞳１４に導かれる。これにより、撮影者は測距点の表示パターンを目視することができる。なお、これをスーパーインポーズ（ＳＩ）表示と称する。
【００２０】
２２はファインダー用ＬＥＤであり、ファインダー用ＬＣＤ２３を照明する。２３はファインダー用ＬＣＤであり、ファインダー視野外に撮影情報を表示するためにＳＩ用ＬＣＤ２０と同一構成としている。２４は三角プリズムである。
【００２１】
ファインダー用ＬＥＤ２２により照明されファインダー用ＬＣＤ２３を透過した光束は、三角プリズム２４によりファインダー視野外に導かれる。これにより、撮影者は各種撮影情報を目視することができる。
【００２２】
２５は撮影レンズ３内に設けられた絞りである。２６は絞り駆動回路１２２を含む絞り駆動装置である。２７はフォーカスレンズ群３ａを駆動するためのフォーカス駆動用モータである。２８は駆動ギア等からなるフォーカス駆動部材である。２９はフォトカプラである。３０はフォーカス駆動部材２８に連動するパルス板である。
【００２３】
図２は図１に示した一眼レフカメラの電気的構成を示すブロック図であり、図１と同一の構成要素には同一の符号を付して説明する。１００はカメラの制御手段であるマイクロコンピュータ（中央処理装置、以下「ＭＰＵ」と称する）である。
【００２４】
ＭＰＵ１００の動作周波数は、発振器１０１で作られた源発振をＭＰＵ１００内のクロック制御回路１００ａにより、分周しない、１／２に分周する、１／１６に分周する等して決められる。ＥＥＰＲＯＭ１００ｂは、フィルムカウンタその他の撮影情報を記憶する。Ａ／Ｄ変換器１００ｃは、後述する測光回路１０２及び焦点検出回路１０３から入力されるアナログ信号をＡ／Ｄ変換する。
【００２５】
ＭＰＵ１００には、後述する測光回路１０２、焦点検出回路１０３、ＬＣＤ駆動回路１０４、ＬＥＤ駆動回路１０６、信号入力回路１０７、モータ駆動回路１１２、シャッター駆動回１１５、フィルム検知回路１１８が接続されている。また、マウント接点２ａを介して撮影レンズ３内に配置されたレンズ制御回路１２０と接続されている。
【００２６】
測光センサ１６は、多分割された撮影画面内の各領域に対応したＳＰＣ−０１〜ＳＰＣ−１８のフォトダイオードから構成されている。測光回路１０２は、測光センサ１６からの各領域の輝度信号をＭＰＵ１００に出力する。ＭＰＵ１００は、輝度信号をＡ／Ｄ変換器１００ｃでＡ／Ｄ変換して被写体の測光情報とする。この測光情報を用いて撮影の露出の調整を行う。
【００２７】
エリアセンサ８ｆは、後述する図３のファインダー視野枠内の複数の測距点２０１〜２４５に対応した４５組のラインセンサＣＣＤ−０１〜ＣＣＤ−４５から構成されている。焦点検出回路１０３は、ＭＰＵ１００の信号に従い、エリアセンサ８ｆの蓄積制御及び読み出し制御を行って、各測距点の画素情報をＭＰＵ１００に出力する。ＭＰＵ１００は、この画素情報をＡ／Ｄ変換器１００ｃでＡ／Ｄ変換し、周知の位相差検出法による焦点検出を行い、検出した焦点検出情報をレンズ制御回路１２０へ送出してレンズの焦点調節を行わせる。この焦点検出から焦点調節までの一連の動作をオートフォーカス（ＡＦ）動作と称する。
【００２８】
ＬＣＤ駆動回路１０４は、ＬＣＤを表示駆動させるための公知の回路であり、ＭＰＵ１００からの信号に従って、絞り値、シャッター秒時、設定した撮影モード等を不図示のモニター用ＬＣＤとファインダー用ＬＣＤ２３に表示する制御を行うとともに、ＳＩ用ＬＣＤ２０の動作を制御する。
【００２９】
ＬＥＤ駆動回路１０６は、ＳＩ用ＬＥＤ１８とファインダー用ＬＥＤ２２を点灯、点滅制御する。
【００３０】
信号入力回路１０７は、後述する各種スイッチの状態を検知する回路であり、検知した情報をＭＰＵ１００へ出力する。１０８はレリーズボタンの第１ストローク（半押し）操作でＯＮし、測光、ＡＦ動作を開始させるためのスイッチであるＳＷ１である。１０９はレリーズボタンの第２ストローク（全押し）操作でＯＮし、露光動作を開始させるためのスイッチであるＳＷ２である。
【００３１】
１１０は測距点の選択方法を切り替えるための測距点選択モードスイッチであるＳＷ−ＡＦであり、押すとＯＮし、放す（操作しない）とＯＦＦするように構成されており、ＯＮする毎に測距点の選択方法が、被写体に応じてカメラが自動的に測距点を選択する「自動選択モード」、撮影者が予め任意の測距点を選択しておく「任意選択モード」、「自動選択モード」又は「任意選択モード」時に測距点が選択された状態においてＳＷ１(１０８)のＯＮとＯＦＦを繰り返すことにより選択された測距点を変更する「選択変更モード」、前記機能を無効にする「選択変更禁止モード」とに切り替え可能となっている。
【００３２】
１１１は不図示の電子ダイヤル内に設けられたスイッチであるＳＷ−ＤＩＡＬであり、これからのＯＮ信号は信号入力回路１０７内の不図示のアップダウンカウンタに入力され、電子ダイヤルの回転クリック量をカウントする。このカウントに応じて絞り値やシャッター秒時等の選択が行われる。また、測距点選択モードスイッチを操作して前述の測距点の「任意選択モード」に設定した状態で、電子ダイヤルを操作すると、ＳＷ−ＤＩＡＬ１１１のカウントに応じて、測距点がその時点で選択されている測距点から移動する。これにより、測距点２０１〜２４５の中からＡＦ動作に使用する測距点を任意に選択することができる。
【００３３】
１１３は銀塩フィルム７の巻き上げ、巻き戻しを行うモータＭ１、１１４は主ミラー４及びシャッター６のチャージを行うモータＭ２であり、ＭＰＵ１００からの信号に従い、モータ駆動回路１１２により制御される。
【００３４】
１１６はシャッター６の先幕を走行させるマグネットＭＧ−１、１１７はシャッター６の後幕を走行させるマグネットＭＧ−２であり、ＭＰＵ１００からの信号に従い、シャッター駆動回１１５により銀塩フィルム７に所定光量を露光するように制御される。
【００３５】
１１９はフォトカプラであり、フィルム検知回路１１８により銀塩フィルム７給送時にパーフォレーションの通過個数を検知し、その情報をＭＰＵ１００に出力して、銀塩フィルム７がオートローディングされたことや１コマ分巻き上げられたこと、巻き戻されたこと等を判定する。
【００３６】
レンズ制御回路１２０は、ＭＰＵ１００からの信号に従い、焦点調節回路１２１と絞り駆動回路１２２の制御を行う。１２１は焦点調節回路であり、フォトカプラ２９で検知されたパルス板３０の回転情報とレンズ制御回路１２０からのフォーカスレンズ駆動量の情報に基づいて、フォーカス駆動用モータ２７を所定量駆動させフォーカスレンズ群３ａを合焦位置に移動する。１２２は絞り駆動回路であり、レンズ制御回路１２０からの絞り情報に基づいて、絞り２５を駆動する。
【００３７】
図３はカメラのファインダー視野を示す図であり、図１及び図２と同一の構成要素には同一の符号を付して説明する。同図に示すのは、ファインダー視野枠１０の内側、即ち視野枠内２００に、複数の測距点２０１〜２４５が全てＳＩ表示されている状態である。また、視野枠外には、ファインダー用ＬＥＤ２２により照明されファインダー用ＬＣＤ２３を透過した光束が三角プリズム２４により導かれており、シャッター秒時２３ａや絞り値２３ｂ等の各種撮影情報が表示されている。
【００３８】
以下、図４〜６を参照して、本実施形態の一眼レフカメラでの処理動作について説明する。図４は本実施形態の一眼レフカメラの基本動作を示すフローチャートである。ステップＳ３０１では、撮影者が不図示のメインスイッチを操作して、カメラの電源がＯＮされる。
【００３９】
ステップＳ３０２では、電源がＯＮされたことを受けて、ＭＰＵ１００の初期化、ＥＥＰＲＯＭ１００ｂに記憶されている各種撮影情報の読み込み、撮影レンズ３の各種情報の読み込み等、カメラの初期設定を行う。
【００４０】
ステップＳ３０３では、撮影者が測距点選択モードスイッチを押して、測距点選択モードを選択する。この測距点選択モードの選択ルーチンについては後述する。
【００４１】
ステップＳ３０４では、撮影者がレリーズボタンを半押しして、ＳＷ１(１０８)がＯＮされる。
【００４２】
ステップＳ３０５では、ＭＰＵ１００が信号入力回路１０７を介してＳＷ１(１０８)がＯＮされたことを検知すると、エリアセンサ８ｆのラインセンサＣＣＤ−０１〜４５に蓄積動作を行わせ、そのデータから相関量を演算し、相関量及び撮影レンズ３の焦点距離、フォーカスレンズ群３ａの敏感度等の光学データに基づいて、各測距点２０１〜２４５のデフォーカス量（像ズレ量）を演算する。
【００４３】
ステップＳ３０６では、撮影者が選択した測距点選択モードに応じて、複数の測距点２０１〜２４５の中から選択された測距点のデフォーカス量に従って、焦点調節回路１２１によりフォーカスレンズ群３ａを合焦位置に駆動する。測距点選択モードが「自動選択モード」の場合は、ステップＳ３０５で演算された各測距点２０１〜２４５のデフォーカス量から、主被写体と判断された位置を測距している測距点のデフォーカス量に従う。主被写体の判断の仕方は、全デフォーカス量の中からカメラに対して最も近距離や遠距離に存在する被写体としたり、全デフォーカス量の平均値に位置する被写体としたり様々な方法が考えられる。また、「任意選択モード」の場合は、撮影者が予め選択しておいた測距点のデフォーカス量に従う。更にこのとき、選択された測距点をＳＩ表示することで、撮影者にどの測距点で合焦したかを知らせる。
【００４４】
ステップＳ３０７では、撮影者がレリーズボタンの半押し操作を繰り返して測距点を変更する。この測距点変更ルーチンの詳細については後述する。ステップＳ３０８では、測距点変更ルーチンでの処理に従って、ステップＳ３０３へ進む。
【００４５】
ステップＳ３０９では、測光回路１０２により、合焦結果から判別された主被写体及び撮影画角全体の輝度を測光センサ１６で測光し、その結果からＭＰＵ１００が露出値を決定する。
【００４６】
ステップＳ３１０では、レリーズボタンの全押し操作により、撮影者が現状の合焦状態と測光値を容認しているか否かの判定を行い、ＳＷ２(１０９)がＯＮされれば測距点のＳＩ表示を消灯してステップＳ３１１へ進み、ＯＦＦのままであればステップＳ３０７へ進み、撮影者の次の操作を待つ。
【００４７】
ステップＳ３１１では、ＳＷ２(１０９)のＯＮを受けて露光動作を開始する。まずモータ駆動回路１１２によりモータＭ２に通電し、主ミラー４をアップさせる。
【００４８】
ステップＳ３１２では、絞り駆動回路１２２により絞り２５を駆動する。絞り２５の絞り値は、ステップＳ３０９で決定された露出値から決定される。
【００４９】
ステップＳ３１３では、シャッター駆動回１１５によりマグネットＭＧ−１に通電してシャッター６の先幕を開放する。シャッター６のシャッタスピードは、ステップＳ３０９で決定された露出値から決定される。所定のシャッター秒時経過後、マグネットＭＧ−２に通電し、シャッター６の後幕を閉じてフィルム７への露光を終了する。
【００５０】
ステップＳ３１４では、モータ駆動回路１１２によりモータＭ２に再度通電し、ミラーダウンとシャッタチャージを行う。
【００５１】
ステップＳ３１５では、モータ駆動回路１１２によりモータＭ１に通電し、フィルム７の１コマ給送を行う。これで一連の露光動作が終了する。
【００５２】
ステップＳ３１６では、撮影者が不図示のメインスイッチを操作して、カメラの電源がＯＦＦされたか否かの判定を行い、ＯＦＦされれば基本動作は終了する。ＯＦＦされなければステップＳ３０３へ進み、撮影者の次の操作を待つ。
【００５３】
図５は、図４のステップＳ３０３における測距点選択モードの選択ルーチンを説明するためのフローチャートである。ステップＳ３２１では、撮影者が測距点選択モードスイッチを押したか否かの判定を行い、測距点選択モードスイッチが押されてＳＷ−ＡＦ１１０がＯＮされればステップＳ３２２へ進む。ＳＷ−ＡＦ１１０がＯＦＦのままであれば基本動作フローチャートへ戻る。
【００５４】
ステップＳ３２２では、ＳＷ−ＡＦ１１０がＯＮされたことを受けて、ステップＳ３０２の初期設定でＥＥＰＲＯＭ１００ｂから読み込まれた現在選択されている測距点選択モードをモニター用ＬＣＤに表示する。
【００５５】
ステップＳ３２３では、現在選択されている測距点選択モードが「任意選択モード」であるか否かの判定を行い、「任意選択モード」であればステップＳ３３０へ進み、「任意選択モード」でなければステップＳ３２４へ進む。
【００５６】
ステップＳ３２４では、撮影者が測距点選択モードスイッチを放して、ＳＷ−ＡＦ１１０がＯＦＦされる。ステップＳ３２５では、ＳＷ−ＡＦ１１０のＯＦＦ時間の計測を開始する。
【００５７】
ステップＳ３２６では、撮影者が測距点選択モードスイッチを押して、ＳＷ−ＡＦ１１０がＯＮされる。ステップＳ３２７では、ＳＷ−ＡＦ１１０のＯＦＦ時間の計測を終了する。
【００５８】
ステップＳ３２８では、計測したＳＷ−ＡＦ１１０のＯＦＦ時間が、予め設定されているＯＦＦタイマを経過しているか否かの判定を行い、経過していればステップＳ３２２へ進み、経過していなければステップＳ３２９へ進む。
【００５９】
ステップＳ３２９では、測距点選択モードを現在選択されている測距点選択モードから変更する。測距点選択モードは、「自動選択＋選択変更モード」、「自動選択＋選択変更禁止モード」、「任意選択＋選択変更モード」、「任意選択＋選択変更禁止モード」の順番で設定されており、例えば現在選択されている測距点選択モードが「自動選択＋選択変更禁止モード」であれば、「任意選択＋選択変更モード」に変更される。そして、ステップＳ３２３へ進み、変更された測距点選択モードが「任意選択モード」であるか否かの判定を行う。
【００６０】
ステップＳ３３０では、ＳＷ−ＡＦ１１０のＯＮ時間の計測を開始する。
【００６１】
ステップＳ３３１では、ＳＷ−ＡＦ１１０のＯＮ時間が予め設定されているＯＮタイマを経過したか否かの判定を行い、経過していればステップＳ３３４へ進み、経過していなければステップＳ３３２へ進む。
【００６２】
ステップＳ３３２では、撮影者が測距点選択モードスイッチを放したか否かの判定を行い、測距点選択モードスイッチを放してＳＷ−ＡＦ１１０がＯＦＦされればステップＳ３３３へ進む。ＳＷ−ＡＦ１１０がＯＮのままであればステップＳ３３１へ進み、再度ＯＮタイマの経過判定を行う。
【００６３】
ステップＳ３３３では、ＳＷ−ＡＦ１１０がＯＦＦしたことを受けて、ＳＷ−ＡＦ１１０のＯＮ時間の計測を終了する。
【００６４】
ステップＳ３３４では、ＯＮタイマを経過したことを受けて、ＳＷ−ＡＦ１１０のＯＮ時間の計測を終了する。
【００６５】
ステップＳ３３５では、ステップＳ３０２の初期設定でＥＥＰＲＯＭ１００ｂから読み込まれた現在選択されている「任意選択モード」における選択測距点を、ファインダー視野枠内２００にＳＩ表示する。
【００６６】
ステップＳ３３６では、撮影者が不図示の電子ダイヤルを操作して、ＳＷ−ＤＩＡＬ１１１がＯＮされる。
【００６７】
ステップＳ３３７では、ＳＷ−ＤＩＡＬ１１１のＯＮを受けて、選択する測距点を隣の測距点へ変更する。それに伴い、ＳＩ表示も、直前まで選択されていた測距点を消灯し、変更された測距点を表示する。
【００６８】
ステップＳ３３８では、撮影者が測距点選択モードスイッチを放したか否かの判定を行い、測距点選択モードスイッチを放してＳＷ−ＡＦ１１０がＯＦＦされればステップＳ３３９へ進む。ＳＷ−ＡＦ１１０がＯＮのままであればステップＳ３３６へ進み、再度ＳＷ−ＤＩＡＬ１１１の操作を待つ。
【００６９】
ステップＳ３３９では、ＳＷ−ＡＦ１１０がＯＦＦされたことを受けて、測距点の任意選択が終了したと判断して、最終的に選択された測距点をＥＥＰＲＯＭ１００ｂへ記憶しておく。
【００７０】
ステップＳ３４０では、測距点のＳＩ表示を消灯し、基本動作フローチャートへ戻る。
【００７１】
以上述べた測距点選択モードの選択ルーチンをまとめると、撮影者が測距点選択モードスイッチを所定時間（ＯＦＦタイマ）未満でＯＮ／ＯＦＦを繰り返すことで、測距点選択モードを選択可能となっている（ステップＳ３２４〜Ｓ３２９）。
【００７２】
また、「任意選択モード」が選択されているときに、撮影者が測距点選択モードスイッチを所定時間（ＯＮタイマ）以上、押し続けていると、測距点を任意に選択可能となり（ステップＳ３３０〜Ｓ３３２）、その状態で撮影者が不図示の電子ダイヤルを操作した分だけ測距点が変更されて選択可能となる（ステップＳ３３５〜Ｓ３４０）。
【００７３】
図６は、図４のステップＳ３０７における測距点変更ルーチンを説明するためのフローチャートである。ステップＳ３５１では、現在選択されている測距点選択モードが「任意選択モード」であるか否かの判定を行い、「任意選択モード」であればステップＳ３５２へ進み、「任意選択モード」でなければ基本動作フローチャートへ戻る。
【００７４】
ステップＳ３５２では、撮影者がレリーズボタンの半押し操作を止めたか否かの判定を行い、半押し操作を止めてＳＷ１(１０８)がＯＦＦされればステップＳ３５３へ進む。半押し操作を止めずにＳＷ１(１０８)がＯＮのままであれば基本動作フローチャートへ戻る。
【００７５】
ステップＳ３５３では、ＳＷ１(１０８)のＯＦＦ時間の計測を開始する。
【００７６】
ステップＳ３５４では、ＳＷ１(１０８)のＯＦＦ時間が予め設定されているＯＦＦタイマを経過したか否かの判定を行い、経過していればステップＳ３６２へ進み、経過していなければステップＳ３５５へ進む。
【００７７】
ステップＳ３５５では、撮影者が測距点選択モードスイッチを押したか否かの判定を行い、測距点選択モードスイッチを押してＳＷ−ＡＦ１１０がＯＮされればステップＳ３６０へ進み、測距点選択モードスイッチを押さずにＳＷ−ＡＦ１１０がＯＮしなければステップＳ３５６へ進む。
【００７８】
ステップＳ３５６では、撮影者がレリーズボタンの半押し操作を行ったか否かの判定を行い、半押し操作を行いＳＷ１(１０８)がＯＮされればステップＳ３５７へ進む。半押し操作を行わずにＳＷ１(１０８)がＯＦＦのままであればステップＳ３５４へ進み、再度ＯＦＦタイマの経過判定を行う。
【００７９】
ステップＳ３５７では、ＳＷ１(１０８)がＯＮしたことを受けて、ＳＷ１(１０８)のＯＦＦ時間の計測を終了する。
【００８０】
ステップＳ３５８では、選択する測距点を隣の測距点へ変更する。それに伴い、ＳＩ表示も、直前まで選択されていた測距点を消灯し、変更された測距点を表示する。
【００８１】
ステップＳ３５９では、変更された測距点のデフォーカス量に従って、焦点調節回路１２１によりフォーカスレンズ群３ａを合焦位置に再駆動する。そして、ステップＳ３５２へ進み、再び撮影者がレリーズボタンの半押し操作を止めたか否かの判定を行う。
【００８２】
ステップＳ３６０では、ＳＷ−ＡＦ１１０がＯＮしたことを受けて、ＳＷ１(１０８)のＯＦＦ時間の計測を終了する。
【００８３】
ステップＳ３６１では、測距点の変更状態をリセットする。即ち、選択する測距点をステップＳ３０６で選択された初期位置へ変更する。それに伴い、ＳＩ表示も、直前まで選択されていた測距点を消灯し、初期位置の測距点を表示する。
【００８４】
ステップＳ３６２では、ＯＦＦタイマを経過したことを受けて、ＳＷ１(１０８)のＯＦＦ時間の計測を終了し、基本動作フローチャートのステップＳ３０８へ戻る。
【００８５】
以上述べた測距点変更ルーチンをまとめると、撮影者がレリーズボタンの半押し操作を行い、所定時間（ＯＦＦタイマ）未満でＳＷ１(１０８)のＯＮ／ＯＦＦを繰り返すことで、測距点が変更可能となっている（ステップＳ３５２〜Ｓ３５９）。その際、ＳＷ１(１０８)のＯＦＦ状態が所定時間（ＯＦＦタイマ）経過すると、変更動作を中止したと判断して基本動作へ戻る（ステップＳ３５４、Ｓ３０８）。また、所定時間（ＯＦＦタイマ）を計測している最中に撮影者が測距点選択モードスイッチを操作すると、測距点の変更状態をリセットし、測距点を初期位置へ戻すことが可能となっている（ステップＳ３５５、Ｓ３６０〜Ｓ３６１）。
【００８６】
以上説明したように、本発明の第１の実施形態によれば、撮影者がレリーズボタンの半押し操作によるＳＷ１(１０８)のＯＮ／ＯＦＦを繰り返すことで、測距点が選択されている測距点から隣り合う測距点に変更されるので、複数の測距点の中から所望する測距点を簡単に素早く選択することができる。
【００８７】
また、最初に選択される測距点は、「自動選択モード」時は自動で選択され、「任意選択モード」時は予め選択されている測距点とし、ＳＷ１(１０８)のＯＮ／ＯＦＦを繰り返して測距点を変更中に撮影者が測距点選択モードスイッチを操作すると、最初に選択された測距点に戻るようになっているので、いつでも測距点を簡単に素早く初期位置へ戻すことができる。
【００８８】
更に、測距点を変更中にＳＷ１(１０８)のＯＦＦ状態が所定時間経過すると、変更動作を中止したと判断して基本動作へ戻り、次にＳＷ１(１０８)がＯＮした際には最初に選択された測距点が選択されるため、測距点変更機能が闇雲に維持されず、撮影者は必要な時だけ測距点変更機能を使用することができる。
【００８９】
同様に、「選択変更モード」と「選択変更禁止モード」が選択可能となっているため、撮影者は必要な時だけ測距点変更機能を使用することができる。
【００９０】
（第２の実施形態）
以下、本発明の第２の実施形態について説明する。一眼レフカメラの構成及び基本動作は、上述した第１の実施形態の図１〜５と同様であるので、ここではその詳細な説明は省略する。
【００９１】
図７は、図４のステップＳ３０７における測距点変更ルーチンを説明するためのフローチャートである。ステップＳ３７１では、現在選択されている測距点選択モードが「任意選択モード」であるか否かの判定を行い、「任意選択モード」であればステップＳ３７２へ進み、「任意選択モード」でなければ基本動作フローチャートへ戻る。
【００９２】
ステップＳ３７２では、ステップＳ３０６で初期選択された測距点と各測距点２０１〜２４５とのデフォーカス量の差を算出し、その差分順に各測距点２０１〜２４５を１〜４５番の順位付けをする。例えば初期選択された測距点が中央の測距点２２３として、差分が０となる測距点２２３が１番、差分が２番目に少ない測距点２１７が２番、以下同様に続き、差分が最大の測距点２４５が４５番というように順番付けされる。
【００９３】
ステップＳ３７３では、測距点の番号ｎに１を代入する。例えば１番の測距点２２３（現在選択されている測距点）が選択された状態となる。
【００９４】
ステップＳ３７４では、撮影者がレリーズボタンの半押し操作を止めたか否かの判定を行い、半押し操作を止めてＳＷ１(１０８)がＯＦＦされればステップＳ３７５へ進む。半押し操作を止めずにＳＷ１(１０８)がＯＮのままであれば基本動作フローチャートへ戻る。
【００９５】
ステップＳ３７５では、ＳＷ１(１０８)のＯＦＦ時間の計測を開始する。
【００９６】
ステップＳ３７６では、ＳＷ１(１０８)のＯＦＦ時間が予め設定されているＯＦＦタイマを経過したか否かの判定を行い、経過していればステップＳ３８５へ進み、経過していなければステップＳ３７７へ進む。
【００９７】
ステップＳ３７７では、撮影者がレリーズボタンの半押し操作を行ったか否かの判定を行い、半押し操作を行いＳＷ１(１０８)がＯＮされればステップＳ３７８へ進む。半押し操作を行わずにＳＷ１(１０８)がＯＦＦのままであればステップＳ３７６へ進み、再度ＯＦＦタイマの経過判定を行う。
【００９８】
ステップＳ３７８では、ＳＷ１(１０８)がＯＮしたことを受けて、ＳＷ１(１０８)のＯＦＦ時間の計測を終了する。
【００９９】
ステップＳ３７９では、測距点の番号ｎをカウントアップする。例えばｎ＝ｎ＋１＝１＋１＝２となる。
【０１００】
ステップＳ３８０では、測距点の番号ｎが４５を超えたか否かの判定を行い、超えていればステップＳ３８３へ進み、超えていなければステップＳ３８１へ進む。
【０１０１】
ステップＳ３８１では、選択する測距点を番号ｎの測距点へ変更する。それに伴い、ＳＩ表示も、直前まで選択されていた測距点を消灯し、変更された測距点を表示する。例えば測距点２２３を消灯し、測距点２１７が表示される。
【０１０２】
ステップＳ３８２では、変更された測距点のデフォーカス量に従って、焦点調節回路１２１によりフォーカスレンズ群３ａを合焦位置に再駆動する。そして、ステップＳ３７４へ進み、再び撮影者がレリーズボタンの半押し操作を止めたか否かの判定を行う。
【０１０３】
ステップＳ３８３では、番号ｎが４５を超えたことを受けて、測距点の番号ｎに１を代入する。
【０１０４】
ステップＳ３８４では、選択する測距点を番号ｎ＝１の測距点へ変更する。それに伴い、ＳＩ表示も、直前まで選択されていた番号ｎ＝４５の測距点を消灯し、変更された番号ｎ＝１の測距点を表示する。
【０１０５】
ステップＳ３８５では、ＯＦＦタイマを経過したことを受けて、ＳＷ１(１０８)のＯＦＦ時間の計測を終了し、基本動作フローチャートのステップＳ３０８へ戻る。
【０１０６】
以上述べた測距点変更ルーチンをまとめると、撮影者がレリーズボタンの半押し操作を行い、所定時間（ＯＦＦタイマ）未満でＳＷ１(１０８)のＯＮ／ＯＦＦを繰り返すことで、測距点が変更可能となっている（ステップＳ３７４〜Ｓ３８２）。その際、ＳＷ１(１０８)のＯＦＦ状態が所定時間（ＯＦＦタイマ）経過すると、変更動作を中止したと判断して基本動作へ戻る（ステップＳ３７６、Ｓ３０８）。また、測距点の変更は初期選択された測距点と各測距点のデフォーカス量の差分が少ない順番となっている（ステップＳ３７２、Ｓ３７９〜Ｓ３８１）。なお、本実施形態において測距点の変更はデフォーカス量の差分が少ない順番としているが、差分が大きい順番でも何ら問題ない。
【０１０７】
以上説明したように、本発明の第２の実施形態によれば、撮影者がレリーズボタンの半押し操作によるＳＷ１(１０８)のＯＮ／ＯＦＦを繰り返すことで、測距点が選択されている測距点からデフォーカス量の差分に基づいて選択された測距点に変更されるため、複数の測距点の中から所望する測距点を簡単に素早く選択できる。
【０１０８】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０１０９】
この場合、記憶媒体から読み出されたプログラムコード自体が上述した実施形態の機能を実現することになり、プログラムコード自体及びそのプログラムコードを記憶した記憶媒体は本発明を構成することになる。
【０１１０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１１】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【０１１２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１１３】
【図１】第１の実施形態の一眼レフカメラの概略構成を示す図である。
【図２】第１の実施形態の一眼レフカメラの電気的構成を示すブロック図である。
【図３】カメラのファインダー視野を示す図である。
【図４】第１の実施形態の一眼レフカメラの基本動作を示すフローチャートである。
【図５】第１の実施形態における測距点選択モードの選択ルーチンを説明するためのフローチャートである。
【図６】第１の実施形態における測距点変更ルーチンを説明するためのフローチャートである。
【図７】第２の実施形態における測距点変更ルーチンを説明するためのフローチャートである。
【符号の説明】
【０１１４】
８ｆ            エリアセンサ
１６            測光センサ
１００          ＭＰＵ
１０２          測光回路
１０３          焦点検出回路
１０８          ＳＷ１
１０９          ＳＷ２
１１０          ＳＷ−ＡＦ
１１１          ＳＷ−ＤＩＡＬ
１２０          レンズ制御回路
２０１〜２４５  測距点
【図１】
2006227093.tif 000003
【図２】
2006227093.tif 000004
【図３】
2006227093.tif 000005
【図４】
2006227093.tif 000006
【図５】
2006227093.tif 000007
【図６】
2006227093.tif 000008
【図７】
2006227093.tif 000009